(57)【要約】  【課題】  画像形成装置が画像を形成する媒体にメモ欄を挿入することができ、メモ欄を挿入しても画像が形成される頁の番号がずれてしまうようなことがない印刷制御装置及びプログラムを提供すること。  【解決手段】  画像形成装置に画像情報を出力する出力手段を備えた印刷制御装置であって、画像形成装置が画像を形成する頁の中に、メモ用のスペースであるメモ欄と、画像を形成する画像領域とを設定する設定手段と、設定手段により設定されたメモ欄と画像領域とが形成可能となるように、出力手段による画像情報の出力を制御する出力制御手段とを備えることを特徴とする印刷制御装置。【選択図】  図６
2006268512.tif 000002
【特許請求の範囲】
【請求項１】
画像形成装置に画像情報を出力する出力手段を備えた印刷制御装置であって、
前記画像形成装置が画像を形成する頁の中に、メモ用のスペースであるメモ欄と、前記画像を形成する画像領域とを設定する設定手段と、
前記設定手段により設定された前記メモ欄と前記画像領域とが形成可能となる画像情報を生成する画像情報生成手段と、
前記画像情報生成手段により生成された画像情報を前記出力手段に出力させる出力制御手段と、
を備えることを特徴とする印刷制御装置。
【請求項２】
前記設定手段は、前記画像を、その縦横比を維持しながら、拡大又は縮小して前記画像領域に収めることを特徴とする請求項１記載の印刷制御装置。
【請求項３】
前記画像情報生成手段は、前記出力手段が出力する画像情報を、前記メモ欄と、前記画像領域とが配置された頁全体の画像情報として生成することを特徴とする請求項１又は２記載の印刷制御装置。
【請求項４】
前記設定手段は、前記画像領域に対し、予めアプリケーションにより作成された、複数頁の画像の各頁を縮小して並べて収容するＮｉｎ１（Ｎは２以上の整数）の配置を行うことを特徴とする請求項１〜３のいずれかに記載の印刷制御装置。
【請求項５】
前記設定手段は、ポートレートの頁に前記Ｎｉｎ１の配置を行う場合に、前記メモ欄をその頁における画像領域の下側に配置することを特徴とする請求項４に記載の印刷制御装置。
【請求項６】
前記設定手段が設定を行う頁における前記メモ欄と前記画像領域との配置を指定する指定手段を備えることを特徴とする請求項１〜５のいずれかに記載の印刷制御装置。
【請求項７】
前記指定手段が、前記メモ欄の位置を指定することを特徴とする請求項６記載の印刷制御装置。
【請求項８】
前記指定手段が、前記メモ欄の大きさを指定することを特徴とする請求項６又は７に記載の印刷制御装置。
【請求項９】
前記メモ欄に、メモ欄であることを示す表示をする表示手段を備えることを特徴とする請求項１〜８のいずれかに記載の印刷制御装置。
【請求項１０】
コンピュータを請求項１〜９のいずれかに記載の設定手段、画像情報生成手段、及び出力制御手段として機能させるプログラム。
【請求項１１】
コンピュータを請求項６〜８のいずれかに記載の指定手段としても機能させる請求項１０記載のプログラム。
【請求項１２】
コンピュータを請求項９記載の表示手段としても機能させる請求項１０又は１１記載のプログラム。
【請求項１３】
前記プログラムがプリンタドライバであることを特徴とする請求項１０〜１２のいずれかに記載のプログラム。
【発明の詳細な説明】
【技術分野】
【０００１】
本発明は、画像形成装置にプリントデータを出力する印刷制御装置及びプログラムに関する。
【背景技術】
【０００２】
複写機において、単一の記録紙を複数の領域に分割し、各領域に画像を記録するとともに、所定の領域を空白とする技術が開示されている（特許文献１参照）。この技術によれば、複写機で画像を形成した原稿に空白部を形成することができるので、その空白部をメモ欄として使用することができる。
【特許文献１】特開２００２−２３２６８１号公報
【発明の開示】
【発明が解決しようとする課題】
【０００３】
しかしながら、パーソナルコンピュータ（ＰＣ）と接続したプリンタの場合、ＰＣにおいて特定のソフトウエアには、作成した画像を印刷するときに、メモ欄を挿入する機能があるものがあるが、そのような機能を持たない任意のソフトウェアを用いて画像を印刷する場合には、自由にメモ欄を挿入することは、困難であった。
【０００４】
また、上記従来技術では、空白部を設ける場合と設けない場合とでは、画像を形成する頁番号が変わってしまうという問題があった。例えば、図１０（ａ）に示すように、１頁を２つの領域に分割し、それぞれに画像を記録する場合、空白部を設けないと、第１の画像、第２の画像は第１頁に形成され、第３の画像、第４の画像は第２頁に形成される。それに対し、図１０（ｂ）に示すように、第１頁の右側を空白部とすると、第２の画像は第２頁に形成されることになり、空白部がない場合とは、頁番号がずれてしまう。こうなると、アプリケーションで作成した像（空白部のない像）と、実際に画像を形成した原稿とが異なってしまい、ユーザの利便性が損なわれてしまう。
【０００５】
本発明は以上の点に鑑みなされたものであり、画像形成装置が画像を形成する媒体にメモ欄を挿入することができ、メモ欄を挿入しても画像が形成される頁の番号がずれてしまうようなことがない印刷制御装置及びプログラムを提供することを目的とする。
【課題を解決するための手段】
【０００６】
（１）請求項１の発明は、
画像形成装置に画像情報を出力する出力手段を備えた印刷制御装置であって、  前記画像形成装置が画像を形成する頁の中に、メモ用のスペースであるメモ欄と、前記画像を形成する画像領域とを設定する設定手段と、前記設定手段により設定された前記メモ欄と前記画像領域とが形成可能となる画像情報を生成する画像情報生成手段と、前記画像情報生成手段により生成された画像情報を前記出力手段に出力させる出力制御手段と、を備えることを特徴とする印刷制御装置を要旨とする。
【０００７】
本発明の印刷制御装置は、単一の頁の中に画像領域とメモ欄とを設定し、その内の画像領域に、元々その頁に形成すべきであった画像を形成する。そのため、本発明によれば、メモ欄を設けても、画像は、メモ欄を設けなかった場合と同一の頁に形成される。つまり、従来技術のように、メモ欄を挿入すると画像が形成される頁の番号がずれてしまうようなことがない。
（２）請求項２の発明は、
前記設定手段は、前記画像を、その縦横比を維持しながら、拡大又は縮小して前記画像領域に収めることを特徴とする請求項１記載の印刷制御装置を要旨とする。
【０００８】
本発明の印刷制御装置は、画像の縦横比を維持するので、画像を拡大又は縮小しても画像が歪んでしまうことがない。また、画像を拡大又は縮小するので、画像の大きさを画像領域に合わせることができる。
（３）請求項３の発明は、
前記画像情報生成手段は、前記出力手段が出力する画像情報を、前記メモ欄と、前記画像領域とが配置された頁全体の画像情報として生成することを特徴とする請求項１又は２記載の印刷制御装置を要旨とする。
【０００９】
本発明の印刷制御装置では、画像情報生成手段が、メモ欄と画像領域とが配置された頁全体の画像情報を作成し、出力手段がその画像情報を出力する。そのため、画像形成装置の側では、上記のような画像情報を作成する必要がなく、送られた画像情報に従って画像を形成するだけでよいので、画像形成装置の処理負担を軽減することができる。
（４）請求項４の発明は、
前記設定手段は、前記画像領域に対し、予めアプリケーションにより作成された、複数頁の画像の各頁を縮小して並べて収容するＮｉｎ１（Ｎは２以上の整数）の配置を行うことを特徴とする請求項１〜３のいずれかに記載の印刷制御装置を要旨とする。
【００１０】
本発明によれば、頁における画像の配置をＮｉｎ１としても、頁番号がずれることなく、メモ欄を設けることができる。
尚、Ｎｉｎ１とは、１頁にＮ個の画像を配置することを意味する。
（５）請求項５の発明は、
前記設定手段は、ポートレートの頁に前記Ｎｉｎ１の配置を行う場合に、前記メモ欄をその頁における画像領域の下側に配置することを特徴とする請求項４に記載の印刷制御装置を要旨とする。
【００１１】
本発明の印刷制御装置は、ポートレートの頁に前記Ｎｉｎ１の配置を行う場合は、メモ欄をその頁における画像領域の下側に配置するので、メモ欄を設けても、頁に対して画像が回転してしまうことがない。そのことにより、印刷制御装置及び画像形成装置の処理負担を軽減することができる。
（６）請求項６の発明は、
前記設定手段が設定を行う頁における前記メモ欄と前記画像領域との配置を指定する指定手段を備えることを特徴とする請求項１〜５のいずれかに記載の印刷制御装置を要旨とする。
【００１２】
本発明の印刷制御装置では、指定手段が、例えば、ユーザがマウス、キーボード等で入力した結果に従って、メモ欄と画像領域との配置を指定することができる。そのことにより、頁の配置に関して、自由度の高いユーザインターフェースを提供することができる。
（７）請求項７の発明は、
前記指定手段が、前記メモ欄の位置を指定することを特徴とする請求項６記載の印刷制御装置を要旨とする。
【００１３】
本発明の印刷制御装置は、指定手段が、例えば、ユーザがマウス、キーボード等で入力した結果に従って、メモ欄の位置を指定することができる。そのことにより、メモ欄の位置に関して、自由度の高いユーザインターフェースを提供することができる。
（８）請求項８の発明は、
前記指定手段が、前記メモ欄の大きさを指定することを特徴とする請求項６又は７に記載の印刷制御装置を要旨とする。
【００１４】
本発明の印刷制御装置は、指定手段が、例えば、ユーザがマウス、キーボード等で入力した結果に従って、メモ欄の大きさを指定することができる。そのことにより、メモ欄の大きさに関して、自由度の高いユーザインターフェースを提供することができる。
（９）請求項９の発明は、
前記メモ欄に、メモ欄であることを示す表示をする表示手段を備えることを特徴とする請求項１〜８のいずれかに記載の印刷制御装置を要旨とする。
【００１５】
本発明の印刷制御装置は、メモ欄に、メモ欄であることを示す表示をするので、メモ欄であることを明確にすることができる。尚、メモ欄は、両面印刷によって、媒体の裏面に表示してもよい。
【００１６】
メモ欄であることを示す表示としては、例えば、メモ欄の近傍又は内部に「メモ欄」またはそれに類似する意義の文字を記載したり、枠でメモ欄の周りを囲んだり、メモ欄内に罫線を引くこと等がある。
（１０）請求項１０の発明は、
コンピュータを請求項１〜９のいずれかに記載の設定手段、画像情報生成手段、及び出力制御手段として機能させるプログラムを要旨とする。
【００１７】
コンピュータを本発明のプログラムで機能させることにより、請求項１〜９のいずれかに記載の印刷制御装置の作用効果を奏することができる。
（１１）請求項１１の発明は、
コンピュータを請求項６〜８のいずれかに記載の指定手段としても機能させる請求項１０記載のプログラムを要旨とする。
【００１８】
コンピュータを本発明のプログラムで機能させることにより、請求項６〜８のいずれかに記載の印刷制御装置の作用効果を奏することができる。
（１２）請求項１２の発明は、
コンピュータを請求項９記載の表示手段としても機能させる請求項１０又は１１記載のプログラムを要旨とする。
【００１９】
コンピュータを本発明のプログラムで機能させることにより、請求項９に記載の印刷制御装置の作用効果を奏することができる。
（１３）請求項１３の発明は、
前記プログラムがプリンタドライバであることを特徴とする請求項１０〜１２のいずれかに記載のプログラムを要旨とする。
【００２０】
本発明のプログラムはプリンタドライバであるので、様々なアプリケーションで作成した画像情報を受け取り、その画像情報における所定の頁に、各画像の属する頁の番号をずらすことなくメモ欄を設けることができる。
【発明を実施するための最良の形態】
【００２１】
以下に本発明の印刷制御装置及びプログラムの形態の例（実施例）を説明する。
【実施例１】
【００２２】
ａ）まず、本発明の印刷制御装置を適用した画像情報処理装置１の構成を図１を用いて説明する。
画像情報処理装置１は、印刷制御装置３と、表示部５と、入力部７とを備え、プリンタ２５と接続している。
【００２３】
印刷制御装置３は、アプリケーション実行部９と、ドライバ部１１と、ＲＡＭ１７と、インターフェース部１９と、描画ルーチン部２１と、制御部２３とを備えている。
アプリケーション実行部９は、画像情報を形成する所定のプログラムを実行させ、ドライバ部１１に印刷指示をする。
【００２４】
ドライバ部１１は、ユーザインターフェース処理部１３とラスタライズ部１５とを備え、設定手段として機能する。つまり、ユーザインターフェース処理部１３が、表示部５から、プリンタ２５が印刷する媒体の頁におけるメモ欄の位置、大きさ、メモ欄に表す表示の種類についての指定を受け取り、ラスタライズ部１５が、その指定に従って、頁の中に、メモ用のスペースであるメモ欄と、画像を形成する画像領域とを設定する。
【００２５】
また、ドライバ部１１は、画像情報生成手段としても機能する。つまり、ラスタライズ部１５は、メモ欄と画像領域とが配置された頁全体の画像情報を作成し、それをＲＡＭ１７に記憶させる。頁全体の画像情報において、画像領域には、アプリケーション実行部９が作成した画像情報が、その縦横比を維持しながら、拡大又は縮小して収められる。また、メモ欄には、表示部５からユーザインターフェース処理部１３に送られる指定に従って、「メモ欄」という文字の記載、メモ欄の周りを囲む枠、メモ欄内の罫線が追加される。
【００２６】
ＲＡＭ１７は、ドライバ部１１から送られる画像情報を記憶する。ＲＡＭ１７が記憶する画像情報は、メモ欄を挿入した頁を印刷する場合は、ドライバ部１１にて作成した、メモ欄と画像領域とが配置された頁全体の画像情報である。一方、メモ欄を挿入しない場合は、メモ欄を含まない画像情報である。
【００２７】
インターフェース部１９は、出力手段として機能し、制御部２３の制御により、ＲＡＭ１７に記憶された画像情報をプリンタ２５に出力する。
描画ルーチン部２１は、ＲＡＭ１７に記憶された画像情報等、各種の画像情報を処理し、表示部５に表示させる。
【００２８】
制御部２３は、各部の動作を制御する。また、制御部２３は、ドライバ部１１により生成された画像情報をインターフェース部１９に出力させる出力制御手段として機能する。
表示部５は、ＬＣＤ、ＣＲＴ等の表示画面を有し、図５〜図８に示す設定画面を表示する。また、表示部５は指定手段及び表示手段として機能する。つまり、ユーザが設定画面のボタンを押し下げる、チェック欄にチェックを付ける等の操作を行うと、その操作に応じて、印刷する頁におけるメモ欄の位置、大きさ、メモ欄に表す表示の種類についての指定を行う。また、表示部５は、印刷する頁に設ける画像領域の数の指定を行う。更に、表示部５は、実行後又は実行中の処理についてのユーザへのメッセージも表示する。
【００２９】
入力部７は、マウス、キーボード等の入力手段である。ユーザはこの入力部７を用いて、表示部５に表示される設定画面のボタンを押し下げる、チェック欄にチェックを付ける等の操作を行うことができる。
ｂ）次に、画像情報処理装置１の制御部２３が実行する処理を図２、図４のフローチャート、及び図３、図５〜８の説明図を用いて説明する。
【００３０】
ユーザがアプリケーションを用いて画像の印刷を実行すると、アプリケーション実行部９からドライバ部１１へ印刷指示させるとともに、ＲＡＭ１７に画像情報を格納させ、ステップ１１０に進む（図２のステップ１００）。
【００３１】
次に、ユーザが入力手段７に所定の操作をすると、ドライバ部１１のユーザインターフェース処理部１３に対し、描画ルーチン部２１を介して、表示部５に図５に示すプリンタの印刷ダイアログを表示させる（ステップ１１０）。この印刷ダイアログにおいてユーザは、レイアウト（Ｇ）３０、印刷の向き６０等、印刷に関する各種設定を行うことができる。
【００３２】
ステップ１２０では、表示された印刷ダイアログにおいて、メモ欄印刷がＯＮとなっているか否かを判断する。つまり、図５の印刷ダイアログにおいて、ユーザがメモ欄２８のチェックをＯＮとし、設定（Ｓ）３２のボタンを押したときはメモ欄印刷がＯＮである（ＹＥＳ）と判断する。一方、ユーザがメモ欄２８にチェックをしないままＯＫ６２のボタンを押したときは、メモ欄印刷がＯＮではない（ＮＯ）と判断する。ＹＥＳの場合はステップ１３０に進み、ＮＯの場合はステップ１５０に進む。
【００３３】
ステップ１３０では、ドライバ部１１にレイアウト印刷処理をさせる。このレイアウト印刷処理を図４のフローチャートを用いて説明する。
まず、図５の設定ダイアログにおいてユーザがレイアウト（Ｇ）３０の欄をＮ頁に設定したか否か（すなわちＮｉｎ１のレイアウトに設定したか否か）を判断する（ステップ２００）。ＹＥＳの場合はステップ２１０に進み、ＮＯの場合はステップ２２０に進む。尚、図５においてレイアウト（Ｇ）３０の欄の設定は２頁であるが、この設定値は２頁には限定されず、１頁、又は３頁以上であってもよい。
【００３４】
ステップ２１０では、ドライバ部１１に、頁のレイアウトをＮｉｎ１に設定させる。
ステップ２２０では、ドライバ部１１に対し、表示手段５に、図６に示すようなメモ欄の設定ダイアログを表示させる。この設定ダイアログは、右側に、メモ欄の設定に関する項目（位置、種類、サイズ）を表示し、左側に、頁２９における画像領域３１、及びメモ欄３５のレイアウトを表示する。このレイアウトは、設定ダイアログ右側の設定に対応しており、設定が変更されると、それに応じて更新される。
【００３５】
ユーザは、メモ欄３４中の位置３６における設定により、頁２９におけるメモ欄３５の位置を設定することができる。具体的には、ユーザがフリー３８を選択した場合は、入力手段７により、メモ欄３５の位置を、頁２９の中において自由に設定することができる。一方、ユーザが既定値４０を選択した場合、ユーザは既定値４０の下側にある左４２、中央４４、右４６、上４８、下５０のいずれかを選択する。この場合、メモ欄３５の位置は、左４２、中央４４、右４６、上４８、下５０のうちの選択したものに応じた既定の位置に設定される。
【００３６】
また、ユーザは種類５２の欄において、メモ欄３５に表示する罫線を設定する。種類５２の欄では、横線、縦線、罫線なし等多数の種類から選択可能となっている。
また、ユーザは、サイズ５４の欄においてメモ欄の高さ、幅を設定することができる。具体的には、高さ５６の欄にメモ欄３５の高さの数値を入力し、幅５８の欄にメモ欄３５の幅の数値を入力することで設定できる。
【００３７】
図６の設定ダイアログにて設定されたメモ欄３５の位置、メモ欄３５に引く罫線の種類、メモ欄３５のサイズは、表示部５からドライバ部１１に、指示として送られる。
尚、図６に示す設定ダイアログは、メモ欄３５の位置、メモ欄３５に引く罫線の種類、メモ欄３５のサイズを設定するものであるが、設定ダイアログは、これらの項目のうちの一部だけを設定可能なものであってもよい。例えば、図７に示すように、メモ欄３５の位置とメモ欄３５に引く罫線の種類とを設定可能なものであってもよい。この場合は、メモ欄３５のサイズは既定値に設定される。
【００３８】
また、設定ダイアログは、図８に示すように、メモ欄３５の位置のみを設定可能なものであってもよい。この場合は、メモ欄３５に引く罫線の種類とメモ欄３５のサイズとは既定値に設定される。
【００３９】
ステップ２３０では、レイアウト印刷に関する設定が終了したか否かを判断する。具体的には、図６（または図７〜図８）に示す設定ダイアログにおいてユーザによるメモ欄の設定が終了したか否かを、ＯＫボタン６４が押されたか否かにより判断する。ＹＥＳの場合はステップ２４０に進み、ＮＯの場合はステップ２３０に留まる。
【００４０】
ステップ２４０では、ドライバ部１１が、図３（ａ）に示すように、プリンタ２５が印刷する媒体の頁２９に、メモ欄３５と画像領域３１とを形成できるようにそれらの配置を設定する。この配置におけるメモ欄３５の位置、大きさ、及び種類は、図６の設定ダイアログにユーザが入力した結果に基づきドライバ１１に設定させる。
【００４１】
また、頁２９に配置された画像領域３１の数は、図５の設定画面におけるレイアウト（Ｇ）３０の欄に入力された値に基づいてドライバ１１に設定させる。例えば、レイアウト（Ｇ）３０の欄に入力された値が２であるいわゆる２ｉｎ１の場合は、図３（ａ）に示すように、２つの画像領域３１を設定する。尚、画像領域３１の数は２には限定されず、１又は３以上であってもよい。
【００４２】
また、ドライバ部１１に指示し、画像領域３１に、アプリケーション実行部９が作成した画像情報を、その縦横比を維持しながら、拡大又は縮小して収める。そして、ドライバ部１１に、上記のようにメモ欄と画像領域とを配置した頁全体の画像情報を生成させ、ＲＡＭ１７に記憶させる。
【００４３】
ステップ２５０では、ドライバ部１１に、図５の印刷ダイアログにおけるユーザの設定に基づいて、他の印刷設定（例えば、用紙サイズ、仕切り線、印刷の向き、部数、用紙媒体、給紙方法等）を設定させる。このステップの終了後、図２のフローチャートにおけるステップ１４０に進む。
【００４４】
ステップ１４０では、ドライバ部１１に、ＲＡＭ１７に記憶された画像情報をインターフェース部１９を介してプリンタ２５に出力させ、印刷を行う。
一方、前記ステップ１１０にてＮＯと判断した場合はステップ１５０に進み、ドライバ部１１が通常の印刷（メモ欄を挿入しないままの印刷）を行うための処理を実行する。
【００４５】
ｄ）次に、本実施例１の画像情報処理装置１及びドライバ部１１が奏する効果を説明する。
i)本実施例１の画像情報処理装置１は、頁にメモ欄を挿入するときは、図６〜図８に示すように、頁２９の中に画像領域３１とメモ欄３５とを設定し、その内の画像領域３１に画像を形成する。
【００４６】
このとき、頁２９に設ける画像領域３１の数は、印刷ダイアログのレイアウト（Ｇ）３０の欄（図５参照）にて設定した数である。従って、頁２９にメモ欄３５を挿入しても、頁２９に設けられる画像の数は一定であるから、従来技術のように、メモ欄を挿入すると画像が形成される頁の番号がずれてしまうようなことがない。
(ii)本実施例１では、ドライバ部１１が、アプリケーション実行部９により作成した画像情報の縦横比を維持したまま、画像情報を拡大又は縮小して画像領域に収めるので、画像が歪んでしまうことがない。また、画像情報を拡大又は縮小することにより、画像の大きさを画像領域に合わせることができる。
(iii)本実施例１では、ドライバ部１１が、メモ欄と画像領域とが配置された頁全体の画像情報を作成してＲＡＭ１７に記録し、インターフェース部１９がその画像情報をプリンタ２５に出力する。そのため、プリンタ２５の側では、上記のような頁全体の画像情報を作成する必要がなく、画像情報処理装置１から送られた画像情報に従って画像を形成するだけでよいので、プリンタ２５の処理負担を軽減することができる。
(iv)本実施例１の画像情報処理装置１は、頁における画像の配置がＮｉｎ１であっても、頁番号がずれることなく、メモ欄を設けることができる。
(v)本実施例１の画像情報処理装置１では、ユーザが入力手段７を用いて表示手段５に入力した結果に従って、メモ欄の位置、大きさ、メモ欄における表示を指定することができる。そのことにより、頁の配置に関して、自由度の高いユーザインターフェースを提供することができる。
【実施例２】
【００４７】
本実施例２の画像情報処理装置１は、その構成や動作において、基本的には前記実施例１と同様であるが、一部において相違する。以下では、その相違点を中心に説明する。
本実施例２の画像情報処理装置１は、メモ欄を設定しようとする頁の配置がポートレートである場合は、メモ欄を頁の下側に配置する。具体的には、ユーザがメモ欄を挿入した頁を印刷しようとするとき、図５の印刷ダイアログにおいて用紙の向き６０を縦に設定すると、図６〜図８の設定画面において、メモ欄３５の位置は自動的に「下」となる。
【００４８】
このことにより、アプリケーション実行部９が作成した画像情報を頁に配置するとき、画像情報を頁に対して回転させる必要が無くなる。このことを図９を用いて具体的に説明する。図９（ａ）に示すように、アプリケーション実行部９が作成した縦長の画像情報を配置する画像領域３７、３９を、縦長の頁２９の中に水平方向に並べて２ｉｎ１とし、頁２９の配置をポートレートとするとき、すなわち、縦長のポートレートの頁２９にＮｉｎ１の画像領域を設定する場合、図９（ｂ）に示すように、頁２９の画像領域３７、３９の下側にメモ欄３５を設ければ、その上方に、画像領域３７、３９に配置する画像情報に回転処理を加えることなく、また、なるべく大きいサイズで頁２９に収めることができる。このことにより、画像情報処理装置１は頁に対して画像情報を回転させる処理を行う必要がないので、画像情報処理装置１及びプリンタ２５の処理負担を軽減することができる。
【００４９】
尚、本発明は前記実施例になんら限定されるものではなく、本発明を逸脱しない範囲において種々の態様で実施しうることはいうまでもない。
例えば、前記実施例１又は２において、メモ欄と画像領域とが配置された頁全体の画像情報を記憶するＲＡＭはプリンタ２５に設けてもよい。つまり、画像情報処理装置１は、アプリケーション実行部９が作成した画像情報（メモ欄を含まないもの）と、メモ欄の配置に関する指示をプリンタ２５に送信し、プリンタ２５の側で、メモ欄と画像領域とが配置された頁全体の画像情報を作成し、プリンタ２５側のＲＡＭに記憶させてもよい。
【００５０】
また、前記実施例１又は２において、画像領域を、プリンタ２５の媒体における表面に設け、メモ欄を同一の媒体の裏面に設けてもよい。この場合、メモ欄には、メモ欄であることを示す表示（例えば、メモ欄の近傍又は内部に「メモ欄」等の文字を記載したり、枠でメモ欄の周りを囲んだり、メモ欄内に罫線を引くこと）を付することができる。
【図面の簡単な説明】
【００５１】
【図１】画像情報処理装置１の構成を表すブロック図である。
【図２】制御部２３が実行する処理を表すフローチャートである。
【図３】頁における画像領域とメモ欄との配置を表す説明図である。
【図４】制御部２３が実行するレイアウト印刷処理を表すフローチャートである。
【図５】表示部５に表示される印刷ダイアログを表す説明図である。
【図６】表示部５に表示される設定画面を表す説明図である。
【図７】表示部５に表示される設定画面を表す説明図である。
【図８】表示部５に表示される設定画面を表す説明図である。
【図９】頁における画像領域とメモ欄との配置を表す説明図である。
【図１０】従来技術において頁にメモ欄を挿入したときの画像配置を表す説明図である。
【符号の説明】
【００５２】
１・・・画像情報処理装置
３・・・印刷制御装置
５・・・表示部
７・・・入力部
９・・・アプリケーション実行部
１１・・・ドライバ部
１３・・・ユーザインターフェース部
１５・・・ラスタライズ部
１７・・・ＲＡＭ
１９・・・インターフェース部
２１・・・描画ルーチン部
２３・・・制御部
２５・・・プリンタ
２９・・・頁
３１・・・画像領域
３５・・・メモ欄
【図１】
2006268512.tif 000003
【図２】
2006268512.tif 000004
【図３】
2006268512.tif 000005
【図４】
2006268512.tif 000006
【図９】
2006268512.tif 000007
【図１０】
2006268512.tif 000008
【図５】
2006268512.tif 000009
【図６】
2006268512.tif 000010
【図７】
2006268512.tif 000011
【図８】
2006268512.tif 000012